(57)【要約】【課題】ハウジングが高温であることを喚起するための表示を、視認しにくい条件であっても分かりやすく行うことができるオイルフィルタを提供する。【解決手段】内部にろ材が収容されている筒状のハウジング２と、前記ハウジングに設けられているオイル流入口２３及びオイル流出口２４を備え、前記ハウジングの表面には、可逆性示温塗料の塗膜からなる温度警告部４が少なくとも前記ハウジングの周方向に設けられており、前記可逆性示温塗料は、前記ハウジング内に高温のオイルが流通しているときの流通温度で変色することを特徴とする。温度警告部が少なくとも前記ハウジングの周方向に設けることにより、オイルフィルタの取り付け向きにかかわらず、任意の向きから温度警告部を視認することができる。【選択図】図１
2019183760.tif 000002
【特許請求の範囲】
【請求項１】
内部にろ材が収容されている筒状のハウジングと、前記ハウジングに設けられているオイル流入口及びオイル流出口を備え、
前記ハウジングの表面には、可逆性示温塗料の塗膜からなる温度警告部が少なくとも前記ハウジングの周方向に設けられており、
前記可逆性示温塗料は、前記ハウジング内に高温のオイルが流通しているときの流通温度で変色することを特徴とするオイルフィルタ。
【請求項２】
前記ハウジングは、前記ハウジングの基材を具備する基層と、前記基層表面に形成されている前記温度警告部である塗膜層とを備える請求項１に記載のオイルフィルタ。
【請求項３】
前記ハウジングは、前記ハウジングの基材を具備する基層と、一定の模様となるように前記基層表面に形成されている前記温度警告部である塗膜模様層とを備え、
前記可逆性示温塗料の変色前の色は、前記基層の色と同色であり、
前記可逆性示温塗料の変色後の色は、前記基層の色と異なる色である請求項１に記載のオイルフィルタ。
【請求項４】
前記ハウジングは、その表面に前記ハウジングの周方向に一周して形成されている前記温度警告部である品番表記部を具備する請求項１又は３に記載のオイルフィルタ。
【請求項５】
前記温度警告部の可逆性示温塗料の色は、変色前の色と、変色後の色とにおいて一定以上異なる明度及び色差値の少なくとも一方を備える請求項１乃至４のいずれかに記載のオイルフィルタ。
【発明の詳細な説明】
【技術分野】
【０００１】
本発明は、高温のオイルのろ過に用いられるオイルフィルタに関する。更に好ましくは、ハウジングが高温であることを喚起するための表示を、視認しにくい条件であっても分かりやすく行うことができるオイルフィルタに関する。
【背景技術】
【０００２】
従来の車両等のガソリンエンジン等の内燃機関用のオイルフィルタとして、ハウジング内にろ材が収容されており、エンジンオイルを前記ろ材によりろ過して内燃機関の潤滑経路に流入させるものが一般に知られている。
内燃機関内を流れるエンジンオイルは内燃機関によって熱せられ、オイルフィルタに流入するときの温度が８５℃以上の高温となる。このため、オイルフィルタの脱着時には高温のエンジンオイルに注意する必要がある（例えば特許文献１を参照。）。また、ハウジングは通常鉄製であり、オイルフィルタ使用時及び使用直後にはハウジング内を流通するエンジンオイルの熱が伝わってハウジング表面が高温となるため、誤って素手で触ると火傷を起こす恐れがある。オイルフィルタの外観は、ハウジング表面が高温であっても常温時と変化しないため、高温であるかを容易に視認できることが望ましい。
【０００３】
一方、対象の温度によって色が変化する示温塗料が知られている（例えば特許文献２を参照。）。特許文献２に示す示温塗料は、変色境界温度領域が７０〜８０℃のバナジン酸ビスマス系顔料を含有しており、加熱暖房器具、加熱調理器具、タンク、工業用パイプ及びボイラー等に塗布して高温かどうかを視認できるようにすることが挙げられている。
【先行技術文献】
【特許文献】
【０００４】
【特許文献１】特開２０１１−０４７３９６号公報
【特許文献２】特開２０１６−２１６５２８号公報
【発明の概要】
【発明が解決しようとする課題】
【０００５】
しかし、オイルフィルタは、車両等の様々なエンジンルーム内に配設されているエンジンに設けられているため、常に同じ面を視認できるに限られず、エンジンに隠れて見えにくかったり、暗所に位置したりするため、単に示温塗料を適用するだけではなく、視認しにくい条件であっても分かりやすくすることを検討する必要がある。
本発明は、上記現状に鑑みてなされたものであり、ハウジングが高温であることを喚起するための表示を、視認しにくい条件であっても分かりやすく行うことができるオイルフィルタを提供することを目的とする。
【課題を解決するための手段】
【０００６】
上記問題を解決するために、請求項１に記載の発明は、内部にろ材が収容されている筒状のハウジングと、前記ハウジングに設けられているオイル流入口及びオイル流出口を備え、前記ハウジングの表面には、可逆性示温塗料の塗膜からなる温度警告部が少なくとも前記ハウジングの周方向に設けられており、前記可逆性示温塗料は、前記ハウジング内に高温のオイルが流通しているときの流通温度で変色することを要旨とする。
請求項２に記載の発明は、請求項１記載の発明において、前記ハウジングは、前記ハウジングの基材を具備する基層と、前記基層表面に形成されている前記温度警告部である塗膜層とを備えることを要旨とする。
請求項３に記載の発明は、請求項１記載の発明において、前記ハウジングは、前記ハウジングの基材を具備する基層と、一定の模様となるように前記基層表面に形成されている前記温度警告部である塗膜模様層とを備え、前記可逆性示温塗料の変色前の色は、前記基層の色と同色であり、前記可逆性示温塗料の変色後の色は、前記基層の色と異なる色であることを要旨とする。
請求項４に記載の発明は、請求項１又は３に記載の発明において、前記ハウジングは、その表面に前記ハウジングの周方向に一周して形成されている前記温度警告部である品番表記部を具備することを要旨とする。
請求項５に記載の発明は、請求項１乃至４のいずれかに記載の発明において、前記温度警告部の可逆性示温塗料の色は、変色前の色と、変色後の色とにおいて一定以上異なる明度及び色差値の少なくとも一方を備えることを要旨とする。
【発明の効果】
【０００７】
本発明のオイルフィルタは、高温のオイルの流通によりハウジング表面が高温の流通温度のときに変色する可逆性示温塗料により表記されている温度警告部によって、ハウジングが高温であることを喚起するための表示を行うことができる。また、温度警告部が少なくとも前記ハウジングの周方向に設けることにより、オイルフィルタの取り付け向きにかかわらず、任意の向きから温度警告部を視認することができる。
前記ハウジングは、前記ハウジングの基材を具備する基層と、前記基層表面に形成されている前記温度警告部である塗膜層とを備える場合は、ハウジングの表面温度が流通温度以上のときにおいてハウジングの全体の色が変化するため、ハウジングがエンジンに隠れて見えにくかったり、暗所に位置したりしても、色の違いを容易に視認することができ、ハウジングが高温であることを喚起することができる。
前記ハウジングは、前記ハウジングの基材を具備する基層と、一定の模様となるように前記基層表面に形成されている前記温度警告部である塗膜模様層とを備え、前記可逆性示温塗料の変色前の色は、前記基層の色と同色であり、前記可逆性示温塗料の変色後の色は、前記基層の色と異なる色である場合は、エンジンに隠れて見えにくかったり暗所に位置したりしても、ハウジングの模様の有無によって温度警告部の変色を判別することが容易であり、ハウジングが高温であることを容易に喚起することができる。
前記ハウジングは、その表面に前記ハウジングの周方向に一周して形成されている前記温度警告部である品番表記部を具備する場合は、品番印刷部の印刷により温度警告部を形成することができ、品番印刷部の表記の変色によりハウジングが高温であることを喚起することができる。また、品番印刷部の印刷によって温度警告部を設けることができるため、従来のオイルフィルタの製造方法をそのまま適用することができる。
前記温度警告部の可逆性示温塗料の色は、変色前の色と、変色後の色とにおいて一定以上異なる明度及び色差値の少なくとも一方を備える場合は、温度警告部がエンジンに隠れて見えにくかったり暗所に位置したりしても、明確な明度や色相の違いにより温度警告部を判別しやすく、ハウジングが高温であることを喚起することができる。
【図面の簡単な説明】
【０００８】
本発明について、本発明による典型的な実施形態の非限定的な例を挙げ、言及された複数の図面を参照しつつ以下の詳細な記述にて更に説明するが、同様の参照符号は図面のいくつかの図を通して同様の部品を示す。
【図１】本オイルフィルタの外観を説明するための斜視図である。
【図２】本オイルフィルタの外観を説明するための底面図である。
【図３】本オイルフィルタの表面色が変色した状態を説明するための斜視図である。
【図４】他の態様の本オイルフィルタの外観を説明するための斜視図である。
【図５】他の態様の本オイルフィルタの温度警告部である模様が視認できる状態を説明するための斜視図である。
【図６】他の態様の本オイルフィルタの外観を説明するための斜視図である。
【図７】他の態様の本オイルフィルタであって、温度警告部である品番印刷部が変色した状態を説明するための斜視図である。
【図８】複数の可逆性示温塗料を塗装したハウジングの断面を説明するための部分拡大断面図である。
【図９】他の態様の本オイルフィルタであって、品番印刷部の一部分が変色した状態を説明するための斜視図である。
【発明を実施するための形態】
【０００９】
ここで示される事項は例示的なもの及び本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【００１０】
本発明のオイルフィルタ（１）は、ガソリンエンジンやディーゼルエンジン等の内燃機関内を流通するオイルを濾過するためのフィルタであり、内部にろ材（図示せず）が収容されている筒状のハウジング（２）と、ハウジング（２）に設けられているオイル流入口（２３）及びオイル流出口（２４）を備え、前記ハウジング（２）の表面には、可逆性示温塗料の塗膜からなる温度警告部（４）が少なくともハウジング（２）の周方向に設けられている。
前記オイルフィルタ（１）のハウジング（２）の構成は、特に問わず、例えば有底円筒形状の本体（２１）と、本体（２１）の開口部を塞ぐ蓋であって内燃機関との取付面となる底部２２とからなる構成を挙げることができる（例えば図１及び図２を参照。）。オイル流入口（２３）及びオイル流出口（２４）の位置は、通常ハウジング（２）の底部（２２）であるがこれに限られず、ハウジング（２）の周面（２６）や頭部（２５）に設けてもよい。ハウジング（２）の基材の材質は特に問わず、通常鉄等の金属である。
【００１１】
温度警告部（４）は、所定の流通温度で変色する可逆性示温塗料により表記されている。また、温度警告部（４）は、少なくともハウジング（２）の周方向に設けられている。
前記「少なくともハウジング（２）の周方向に設けられている」とは、筒状であるハウジング（２）の筒の周において、周方向に連続して又は一部が不連続して設けられており、任意の方向からハウジング（２）の周面（２６）を視認したときに、温度警告部（４）の一部分が視認できる状態であることをいう。また、ハウジング（２）の頭部（２５）に温度警告部（４）を設けてもよい。
このように、ハウジング（２）を取り囲むように配設することにより、オイルフィルタ（１）の取り付け向きにかかわらず、任意の向きから温度警告部（４）を視認することができる。
【００１２】
前記流通温度は、内燃機関内を流れる高温（通常８５℃以上である。）のオイルがハウジング（２）内を流通しているときにおけるハウジング（２）表面の温度であって、素肌で接触したときに火傷が生じやすくなる温度以上となる温度である。このような流通温度として例えば、４０〜８５℃（更に好ましくは４４〜８５℃、特に好ましくは４９〜８０℃）を挙げることができる。４０℃以上のときは長時間の接触により低温火傷が生じやすいためである。また、４９℃以上のときは比較的短時間の接触により火傷が生じやすいためである。更に８５℃以下とするのは、流通するオイルの温度以下である必要があるためである。
【００１３】
前記可逆性示温塗料は、ハウジング（２）表面の温度が、流通温度未満の変色前と流通温度以上の変色後とにおいてそれぞれ異なる色（無色も含まれる。）に可逆的に変色する熱可逆変色性組成物を顔料として含有する塗料であり、溶剤、塗膜形成剤、充填材、沈降防止材、表面調整剤（消泡剤、レベリング剤等を例示できる。）、防錆剤及び発泡剤等の１種以上を含有することができる。
特に、可逆性示温塗料に防錆剤を含む場合は、ハウジング（２）の基材の錆の発生を防止し、防錆塗料の塗布を不要とすることができる。また、発泡剤を含む場合は、ハウジング（２）表面に断熱性を備えることができ、ハウジング（２）内を流通するオイルの熱がハウジング（２）の表面まで伝わりにくくなる。これにより表面の表面温度が低下し、素肌が触れても火傷しにくくなる。
前記熱可逆変色性組成物は、変色する温度の境界となる変色温度や、変色前後の色に合わせて適宜選択される。この例として、四ヨウ化水銀（II）酸銀錯体、コバルト錯体、鉄トリアゾール錯化合物等の金属錯体系組成物や、電子供与性呈色性化合物と電子受容性化合物とを含有する有機系組成物等を挙げることができる。
前記可逆性示温塗料は、ハウジング（２）の表面に直接塗布しても良いし、ハウジング（２）の表面に塗布された防錆塗料や発泡塗料等の他の塗料の上に、塗布しても良い。更に、塗布した可逆性示温塗料の上に表面を保護する塗膜を形成してもよい。
【００１４】
更に、２種類以上の前記可逆性示温塗料を重ねて塗布しても良い。例えば、ハウジング（２）の表面に第１の流通温度に変色する第１の可逆性示温塗料を塗布した第１塗面（４６）を備え、第１塗面（４６）の表面に第２の流通温度以上では無色に変色する第２の可逆性示温塗料を塗布した第２塗面（４７）を備え、第１の流通温度が第２の流通温度より高温とする例を挙げることができる（図８を参照。）。
ハウジング（２）の表面が第２の流通温度未満であるときは、その表面の色が第２の可逆性示温塗料の変色前の色となる。また、第２の流通温度以上、且つ第１の流通温度未満であるときは、第２塗面（４７）が無色となって変色前の第１塗面（４６）の色が視認できる。更に、第１の流通温度以上であるときは、第２塗面（４７）が無色となって第１の可逆性示温塗料の変色後の色が視認できる。このため、ハウジング（２）の色を３種類の温度範囲に対してそれぞれ異なる色とすることができる。
また、前記異なる色の組み合わせとして、第２の可逆性示温塗料の変色前の色を、低温を意味する青色等とし、第１の可逆性示温塗料の変色前の色を、火傷を起こしやすい温度であることを意味する緑色等とし、変色後の色を高温であることを意味する赤色とすることを例示できる。
【００１５】
更に、ハウジングの表面に通常の塗料を塗布した下地塗面を備え、第１の流通温度以上では無色となる第１の可逆性示温塗料を塗布した第１塗面を備え、第１塗面の表面に第２の流通温度以上では無色となる第２の可逆性示温塗料を塗布した第２塗面を備え、第１の流通温度が第２の流通温度より高温とする例を挙げることができる。
ハウジング（２）の表面が第２の流通温度未満であるときは、その表面の色が第２の可逆性示温塗料の変色前の色となる。また、第２の流通温度以上、且つ第１の流通温度未満であるときは、第２塗面（４７）が無色となって変色前の第１塗面（４６）の色が視認できる。更に、第１の流通温度以上であるときは、第１塗面（４６）及び第２塗面（４７）が無色となって下地塗面の色が視認できる。このため、ハウジング（２）の色を３種類の温度範囲に対してそれぞれ異なる色とすることができる。
【００１６】
前記第１の流通温度及び第２の流通温度は、適宜設定できる。この例として、第１の流通温度を３５〜５０℃、第２の流通温度を５１〜７０℃とすることを挙げることができる。前記各温度範囲とすることで、内燃機関が稼働中のときを第１流通温度のときの変色とし、内燃機関が停止しているにもかかわらずハウジングが高温のときを第２流通温度のときの変色として温度警告部を表すことができ、より詳細な喚起を行うことができる。
【００１７】
温度警告部（４）の形態は、種々選択することができ、例えば、ハウジング（２）の蓋部を除く全面設けられる塗膜層、ハウジング（２）の表面に設けられるオイルフィルタ（１）の品番や製品名等がハウジング（２）の表面の全周にわたって印刷されている品番印刷部（３）とすることができる。また、ハウジング（２）の表面や品番印刷部（３）に形成される文字、図形又は模様等とすることができる。
【００１８】
より具体的な例として、ハウジング（２）の基材を具備する基層の表面に温度警告部である塗膜層を形成することを挙げることができる（図１及び図３に示す温度警告部４１を参照）。前記基層は、ハウジング（２）の基材のみであってもよいし、防錆塗料等の塗料からなる塗膜が形成されていてもよい。このとき、ハウジング（２）の全体の色が、流通温度未満と流通温度以上とで変化する。
また、ハウジング（２）の基材を具備する基層（２７）の表面に所定の模様となるように形成された塗膜模様層からなる温度警告部４３を挙げることができる（図４及び図５に示す基層２７及び温度警告部４３を参照）。温度警告部４３は、変色前の色を基層２７の色と同色（図４を参照。）として模様を視認できなくし、変色後の色を基層２７の色と異なる色（図５を参照。）として模様を視認できるようにしてもよい。また、塗膜模様層による模様の形状は特に問わず、ハウジング（２）の周方向に対して平行な縞模様、ハウジング（２）の周方向に対して垂直な縞模様、斜めの縞模様（図５を参照）、放射線状の模様、渦巻き状の模様等を例示することができる。
更に、ハウジングの周方向に一周して形成されており、流通温度以上で変色する品番印刷部（３）とすることを挙げることができる（図６及び図７を参照。）。
また、流通温度未満と流通温度以上とにおいて異なる内容となるハウジング（２）の表面に印刷されている温度警告部（４）とすることを挙げることができる。この異なる内容の例として、流通温度未満のときに「安全」「低温」等の触れても火傷となる恐れが無いことを表す単語や図等を記載して流通温度以上のときに基層（２７）と同色に変色させることを挙げることができる。更に、流通温度未満のときはハウジング（２）の基層（２７）と同色であって、流通温度以上で変色して「危険」「高温」等の火傷となる恐れがあることを表す単語や図等が現れるようにすることを挙げることができる（例えば、図９のハッチング部分に示す温度警告部４５を参照。）。
更に、流通温度未満であって可逆性示温塗料の変色前のときの色が基層（２７）と同色であり、流通温度以上であって変色後のときの色が基層（２７）と異なる色とすることで、流通温度以上のときに発現する表面に設けられる模様を挙げることができる。前記模様は、ハウジング（２）の一部分の視認で容易に判別できる模様が好ましく、例えばハウジング全体に縞模様、格子模様及び水玉模様等の同じ図形が繰り返し表れる模様を挙げることができる。
【００１９】
変色したときの温度警告部の色は、適宜選択することができ、例えば赤色及び黄色等の警告色を用いることを挙げることができる。
また、ハウジング（２）の変色前と変色後の色において一定以上異なる明度及び色差値とすることを挙げることができる。例えば明度においてはＣＩＥＬＡＢのL*a*b*座標系において明度Ｌが３０以上（更に好ましくは４０以上）とすることを挙げることができる。また、色差値においては、均等色空間のL*a*b*座標系において知覚色差ΔＥ＊が１３以上（更に好ましくは２５以上）とすることを挙げることができる。前記差とすることにより、色の変化の差が明確となり、温度警告部の視認性を高めることができる。
【００２０】
（１）第１の実施例
以下、図面を用いて本発明の実施例を具体的に説明する。本実施例のオイルフィルタは、ろ材の交換時にハウジングを含め全体が交換されるガソリンエンジン用のスピンオン型のオイルフィルタである。
図１及び２に示すオイルフィルタ１は、ハウジング２と、ハウジング２内に収容されるろ材と、ハウジング２に設けられているオイル流入口２３及びオイル流出口２４と、ハウジング２の表面に設けられている品番印刷部３及び温度警告部４とを備える。
【００２１】
ハウジング２の基材からなる基層は鉄製であり、有底円筒形状のハウジング本体２１と、ハウジング本体２１の開口部の蓋となり、オイル流入口２３及びオイル流出口２４が形成されている底部２２を備える。
品番印刷部３は、ハウジング本体２１に印刷されている品番及び製品名と付随する帯からなり、ハウジング本体２１の周方向に設けられており、図１における表側及び裏側のいずれにおいても品番及び製品名を視認することができる。
温度警告部４は、ハウジング本体２１の基層上に形成された塗膜層である。塗膜層（温度警告部４）は、ハウジング２表面（塗膜層）が、流通温度未満の変色前の色が青色であり、流通温度以上の変色後の色が赤色である可逆性示温塗料を塗布して形成されている。また、温度警告部４１が変色する流通温度は６０℃とした。
【００２２】
このようなオイルフィルタ１は、底部２２側を内燃機関（図示せず）に接続して使用される。ハウジング２の表面温度が６０℃未満の流通温度未満においては、温度警告部４が変色前の色である青色となる。一方、約１００℃のオイルがオイル流入口２３からハウジング２内を経由してオイル流出口２４へ流通させると、図３のハッチング部分に示すように、ハウジング２の表面温度が流通温度を越える６０℃以上となり、温度警告部４（塗膜層）に含まれている熱可逆変色性組成物が変色して赤色となり、高温であることが視認できるようになる。また、温度警告部４１は、ハウジング本体２１を取り囲むように設けられており、どの方角から見ても温度警告部４１の色を視認することができ、オイルフィルタ１が高温であることの喚起に適している。
【００２３】
（２）第２の実施例
図４に示す第２の実施例のオイルフィルタ１ａは、温度警告部４３をハウジング本体２１の基層２７上に設けられる塗膜模様層として設けたオイルフィルタである。オイルフィルタ１ａは、実施例１と同様に、ハウジング２と、ハウジング２内に収容されるろ材と、ハウジング２に設けられているオイル流入口２３及びオイル流出口２４と、ハウジング２の表面に設けられている品番印刷部３とを備える。
温度警告部４３は、ハウジング本体２１の周面２６において斜め方向の規則的な縞模様となり、ハウジング本体２１の頭部２５においては放射線状となるように、基層２７上に塗装により形成されている塗膜模様層である。また、ハウジング２の表面温度が流通温度未満において基層２７と同じ黒色であり、流通温度以上のとき赤色となる可逆性示温塗料を用いている。更に、温度警告部４３が赤色に変色する流通温度は６０℃とした。
【００２４】
このようなオイルフィルタ１ａは、ハウジング２の表面温度が６０℃未満の流通温度未満においては、ハウジング２の温度警告部４３がハウジング本体２１の基層２７と同じ黒色であるため、模様として視認することができない。一方、ハウジング２の表面温度が流通温度を越える６０℃以上であるときは、図５のハッチング部分に示すように温度警告部４３が可逆性示温塗料に含まれている熱可逆変色性組成物が変色して赤色となり、ハウジング２の本体２１の周面２６が赤色と黒色の縞模様、頭部２５が放射線状の模様として視認できるようになる。これら各模様の発現によりオイルフィルタ１ａが高温であることが視認できるようになる。また、温度警告部４３は、ハウジング本体２１を取り囲むように配設されているため、どの方角から見ても温度警告部４３を視認することができ、オイルフィルタ１ａが高温であることの喚起に適している。
【００２５】
（３）第３の実施例
図６に示す第３の実施例のオイルフィルタ１ｂは、温度警告部４４を品番印刷部３としたオイルフィルタである。オイルフィルタ１ｂは、実施例１、２と同様に、ハウジング２と、ハウジング２内に収容されるろ材と、ハウジング２に設けられているオイル流入口２３及びオイル流出口２４と、ハウジング２の周面２６の表面に周方向に設けられている品番印刷部３とを備える。温度警告部４４は、流通温度未満のとき青色であり、流通温度以上のとき赤色である可逆性示温塗料によって品番印刷部３を印刷することによって形成されている。また、流通温度は６０℃とした。
【００２６】
このようなオイルフィルタ１ｂは、ハウジング２の表面温度が６０℃未満の流通温度未満においては、温度警告部４４を兼ねる品番印刷部３が青色であり、品番及び製品名を視認することができる。
一方、ハウジング２の表面温度が流通温度を越える６０℃以上であるときは、図７のハッチング部分に示すように可逆性示温塗料に含まれている熱可逆変色性組成物が変色して赤色となり、品番印刷部３の各要素が赤色として視認できるようになる。この色の違いにより高温であることが視認できるようになる。また、温度警告部４４を兼ねる品番印刷部３は、ハウジング本体２１の周方向に設けられており、どの方角から周面２６を見ても温度警告部４４を視認することができ、オイルフィルタ１ｂが高温であることの喚起に適している。
【００２７】
尚、本発明においては、上記各実施例で例示したものに限らず、目的、用途に応じて本発明の範囲内で種々変更した実施例、変形例を更に例示することができる。例えば、各実施例の流通温度は、６０℃に限られず任意の温度に設定することができる。また、変色前の色及び変色後の色を適宜変更することができる。
【符号の説明】
【００２８】
１、１ａ〜１ｃ；オイルフィルタ、２；ハウジング、２１；ハウジング本体、２２；底部、２３；オイル流入口、２４；オイル流出口、２５；頭部、２６；周面、２７；基層、３；品番印刷部、４、４１、４３、４４；温度警告部、４６；第１塗面、４７；第２塗面。
【図１】
2019183760.tif 000003
【図２】
2019183760.tif 000004
【図３】
2019183760.tif 000005
【図４】
2019183760.tif 000006
【図５】
2019183760.tif 000007
【図６】
2019183760.tif 000008
【図７】
2019183760.tif 000009
【図８】
2019183760.tif 000010
【図９】
2019183760.tif 000011